(57)【要約】  本発明の態様によれば、複数の利用可能なユーザインタフェース入力オプションを通じたナビゲーションと選択された入力オプションの確認とを容易にする入力デバイスを用いて、電子デバイスのための強化された可聴フィードバックの解決策が発明される。電子デバイスは、該電子デバイスの入力デバイスへの第１入力の検出に基づいた文字の選択の検出（３０４）に対する応答として、文字に固有のオーディオセグメントを定義する（３０６）ように構成される。電子デバイスは、入力デバイスへの第２入力による確認（３１０）の前に、定義されたオーディオセグメントをオーディオ出力手段を介して出力する（３０８）ように構成され、第２入力は、ユーザによって入力される文字列の一部として文字を追加する（３１２）機能に関連付けられる。【選択図】図３
2008541256.tif 000002
【特許請求の範囲】
【請求項１】
電子デバイスであって、該電子デバイスの機能を制御するための制御ユニットと、オーディオ出力手段と、複数の利用可能なユーザインタフェース入力オプションを通じてナビゲートするため及び選択された入力オプションを確認するためのユーザ入力デバイスと、
を備え、
前記入力デバイスへの第１入力に基づいて第１入力オプションの選択を検出して、前記入力デバイスへの第２入力の検出に対する応答として前記第１入力オプションを確認するように構成され、且つオーディオフィードバックをユーザに提供するように構成された電子デバイスにおいて、
前記第１入力オプションが文字を表し、前記第２入力が、前記ユーザによって入力される文字列の一部として前記文字を追加する機能に関連付けられており、
前記制御ユニットは、前記入力デバイスへの前記第１入力の検出に基づいた前記文字の選択の検出に対する応答として、前記文字に固有のオーディオセグメントを定義するように構成されており、
前記制御ユニットが、前記確認の前に、前記定義されたオーディオセグメントの出力を前記オーディオ出力手段を介して発生させるように構成されている、
ことを特徴とする電子デバイス。
【請求項２】
前記制御ユニットは、前記入力デバイスに検出される入力に基づいて、横及び／又は縦方向にナビゲートすることのできる利用可能な文字のリストを前記電子デバイスのディスプレイ上に表示するように構成され、前記第１入力オプションによって表される前記文字は、前記入力デバイスへの前記第１入力の検出に基づいて強調表示される、
ことを特徴とする請求項１に記載の電子デバイス。
【請求項３】
前記入力デバイスは、複数操作のナビゲーションキーであって、
前記制御ユニットは、上、下、左、右の少なくとも２つがナビゲート用のボタンで利用可能なナビゲート領域の１つへの前記ナビゲーションキーによる前記第１入力を検出するように構成され、
前記制御ユニットは、特定の確認ボタンに対する、又は現在選択中の前記第１入力オプションの確認に関連付けられた前記ナビゲーションキーの一部に対する前記第２入力を検出するように構成される、
ことを特徴とする請求項１又は２に記載の電子デバイス。
【請求項４】
前記オーディオセグメントは、前記メモリ内に格納されて且つ前記文字に関連付けられており、前記制御ユニットは、前記メモリから前記オーディオセグメントを取り出して、前記第１入力の検出に応答して前記オーディオセグメントを再生するように構成される、
ことを特徴とする前記請求項のいずれか１項に記載の電子デバイス。
【請求項５】
前記電子デバイスは、音声合成によって前記オーディオセグメントを生成するように構成される、
ことを特徴とする請求項１−３のいずれか１項に記載の電子デバイス。
【請求項６】
前記制御ユニットは、前記入力デバイスへの第３入力の検出に対する応答として前記文字列に関連する動作に関連付けられた第２入力オプションを選択するように構成されており、
前記制御ユニットは、前記動作に固有のオーディオセグメントの出力を発生させるように構成されており、
前記制御ユニットは、前記入力デバイスへの前記第３入力の後の第４入力の検出に対する応答として、入力された文字列に関連付けられた動作を開始するように構成されている、
ことを特徴とする前記請求項のいずれか１項に記載の電子デバイス。
【請求項７】
前記動作は、前記文字列によって表される相手への通話を確立すること、前記文字列から少なくとも１つの文字を消去すること、前記文字列に現在含まれる文字のオーディオフィードバックを提供すること、前記文字列を送信すること、前記文字列をコピーすること、前記文字列を格納すること、前記入力デバイスにより現在利用可能な前記入力オプションでは利用できない特殊文字を追加すること、現在の入力モードを終了することのうちの１つである、
ことを特徴とする請求項６に記載の電子デバイス。
【請求項８】
前記電子デバイスは移動通信デバイスであり、前記文字列に対して選択可能な前記文字は数字を含み、
前記電子デバイスは、前記文字列によって表される相手への通話を確立するように構成される、
ことを特徴とする前記請求項のいずれか１項に記載の電子デバイス。
【請求項９】
複数の利用可能なユーザインタフェース入力オプションを通じてナビゲートするため及び選択された入力オプションを確認するためのユーザ入力デバイスを備え且つ前記ユーザにオーディオフィードバックを提供するように構成された電子デバイスにおける文字入力方法であって、
前記入力デバイスへの第１入力に基づいて第１入力オプションの選択を検出する段階と、
前記入力デバイスへの第２入力の検出に対する応答として前記第１入力オプションを確認する段階と、
を含み、
前記電子デバイスが前記ユーザにオーディオフィードバックを提供するように構成されている前記方法において、
前記第１入力オプションは文字を表し、前記第２入力が前記ユーザによって入力される文字列の一部として前記文字を追加する機能に関連付けられていることを特徴とし、
前記方法が更に、
前記入力デバイスへの前記第１入力の検出に基づいた前記文字の選択の検出に対する応答として、前記文字に固有のオーディオセグメントを定義する段階と、
前記確認の前に、前記定義されたオーディオセグメントを前記オーディオ出力手段を介して返す段階と、
を含む方法。
【請求項１０】
前記方法が、
前記入力デバイスへの第３入力の検出に対する応答として前記文字列に関連する動作に関連付けられた第２入力オプションを選択する段階と、
前記動作に固有のオーディオセグメントを返す段階と、
前記入力デバイスへの前記第３入力の後の第４入力の検出に対する応答として、入力された文字列に関連付けられた動作を開始する段階と、
を含む
ことを特徴とする請求項９に記載の方法。
【請求項１１】
前記動作は、前記文字列によって表される相手への通話を確立すること、前記文字列から少なくとも１つの文字を消去すること、前記文字列に現在含まれる文字のオーディオフィードバックを提供すること、前記文字列を送信すること、前記文字列をコピーすること、前記文字列を格納すること、前記入力デバイスにより現在利用可能な前記入力オプションでは利用できない特殊文字を追加すること、現在の入力モードを終了することのうちの１つである、
ことを特徴とする請求項１０に記載の方法。
【請求項１２】
複数の利用可能なユーザインタフェース入力オプションをナビゲートするため及び選択された入力オプションを確認するためのユーザ入力デバイスを備えた電子デバイスのプロセッサ上で動作可能なコンピュータプログラム製品であって、
前記電子デバイスは、前記入力デバイスへの第１入力に基づいて第１入力オプションの選択を検出し、前記入力デバイスへの第２入力の検出に対する応答として前記第１入力オプションを確認するように構成され、且つ前記ユーザにオーディオフィードバックを提供するように構成されたコンピュータプログラム製品において、
前記第１入力オプションが文字を表し、前記第２入力が、前記ユーザによって入力される文字列の一部として前記文字を追加する機能に関連付けられており、
前記コンピュータプログラム製品が、
前記入力デバイスへの前記第１入力の検出に基づいた前記文字の選択の検出に対する応答として、前記文字に固有のオーディオセグメントを定義し、
前記確認の前に、前記定義されたオーディオセグメントの出力を前記オーディオ出力手段を介して発生させる、
ようにプロセッサを構成するコンピュータプログラムコードを含む、
ことを特徴とするコンピュータプログラム製品。
【請求項１３】
前記コンピュータプログラム製品が、
前記入力デバイスへの第３入力の検出に対する応答として前記文字列に関連する動作に関連付けられた第２入力オプションを選択し、
前記動作に固有のオーディオセグメントの出力を発生させ、
前記入力デバイスへの前記第３入力の後の第４入力の検出に対する応答として入力された文字列に関連付けられた動作を開始する、
ようにプロセッサを構成するコンピュータプログラムコードを含む、
ことを特徴とする請求項１２に記載のコンピュータプログラム製品。
【請求項１４】
前記動作は、前記文字列によって表される相手への通話を確立すること、前記文字列から少なくとも１つの文字を消去すること、前記文字列に現在含まれる文字のオーディオフィードバックを提供すること、前記文字列を送信すること、前記文字列をコピーすること、前記文字列を格納すること、前記入力デバイスにより現在利用可能な前記入力オプションでは利用できない特殊文字を追加すること、現在の入力モードを終了することのうちの１つである、
ことを特徴とする請求項１３に記載のコンピュータプログラム製品。
【発明の詳細な説明】
【技術分野】
【０００１】
本発明は、電子デバイスにおける、及び電子デバイスへの、並びにコンピュータプログラム製品への文字入力方法に関する。
【背景技術】
【０００２】
移動通信デバイスなどの電子デバイスは、ユーザがデバイスを使用するときに該デバイスへの視覚的接触の実施又は継続ができない状況で使用されることが多い。標準キーパッドを用いた数字の入力は、視覚がふさがった状況では間違いやすく、動作も遅くなる。しかしながら、電話番号のほとんどが移動端末の電話帳に格納されていることが多いにもかかわらず、電話番号をダイヤルすることは、依然として極めて基本的な通話管理機能である。ユーザは通常、キーパッドの触覚フィードバックに頼ることで、正しい数字を見つけなければならない。残念ながら、多くのキーパッドの人間工学は、このようなタスクの要件に合致していない。また標準キーパッド使用時でも、ユーザは数字を選択するときにデバイスから指を離さなければならず、すなわち、数字をタイプした後にユーザは自分のタイプする指をキーパッドに対して正しい位置に置く必要がある。これは通常、視覚がふさがった状況でのデバイスの使用にユーザがあまり熟練していない場合には、キーパッドを一瞥することが必要となる。更に、電話番号を目視しないでチェックすることは不可能である。チェックするためには、ユーザは通常、歩行又は車の運転などの主要動作から注意がそれるので、ディスプレイを素早く一瞥して、アクシデント又は他のトラブルを起こさずにこの作業を遂行するようにする必要がある。
【０００３】
ＧＢ２４０２１０５では、タッチスクリーンデバイスのデータ入力方法について開示している。この方法は、タッチスクリーン上で仮想キーを選択し該選択を確認することを含む。選択は、ユーザが予め定義された第１力を超える力で仮想キーの上にあるスクリーン上を押下したときに生じ、選択の確認は、ユーザが予め定義された第２力を超える力で仮想キーの上にあるスクリーン上を押下したときに生じる。キーの選択の段階は、特定のキーが選択されたことをユーザに明確に示すための種々のフィードバック形式と関連付けることができる。１つの実施可能なものは、音声フィードバックであり、すなわち、選択されたばかりのキーの名前を合成音声によって発することができる。しかしながら、この解決策は、タッチスクリーン操作上での入力に限定され、ユーザによって直接手動で選択されたキーを識別するだけのオーディオフィードバックを提供することを目的とする。それでも尚、ユーザは、キー固有の触覚フィードバックを与えない視覚的ディスプレイ上の全ての文字の中で正しい文字に集中させるために、タッチスクリーンに視覚的接触を設定する必要があることが多い。
【０００４】
また、視力障害のユーザが携帯電話を使用するのを支援するのに利用可能な特定のソフトウェアもある。このソフトウェアは、ユーザがメニュー項目を閲覧するときにユーザに可聴支援を提供し、すなわち、ユーザがメニューにセレクタを位置付けると、オーディオプロンプトがこのメニューの名前を示す。更に、通話メニュー内の入力は、可聴ガイダンスにより同様の方法で識別することができ、これにより、電話を取り損なった相手の名前の可聴識別がユーザに提供される。次いで、ユーザは、現在選択されている既存の連絡先への呼設定を選択することができる。ボタンが押下された後に可聴フィードバックが与えられるようにメッセージを入力することができ、すなわち、可聴フィードバックが物理的ボタンに対して特定にされ、ボタンが入力された後にのみ与えられる。しかしながら、可聴ガイダンスはこれらの態様に限定される。
【０００５】
【特許文献１】ＧＢ２４０２１０５
【発明の開示】
【発明が解決しようとする課題】
【０００６】
電子デバイスのユーザにフィードバックを提供するための強化された解決策がここに提供される。本解決策は、独立クレームで開示される内容によって特徴付けられる方法、電子デバイス、及びコンピュータプログラム製品により達成することができる。本発明の一部の実施形態は従属クレームで記載される。
【課題を解決するための手段】
【０００７】
本発明の態様によれば、複数の利用可能なユーザインタフェース入力オプションを通じたナビゲーションと選択された入力オプションの確認とを容易にする入力デバイスを用いて、電子デバイスのための強化された可聴フィードバックの解決策が発明される。電子デバイスは、該電子デバイスの入力デバイスへの第１入力の検出に基づいた文字の選択の検出に対する応答として、文字に固有のオーディオセグメントを定義するように構成される。電子デバイスは、入力デバイスへの第２入力による確認の前に、定義されたオーディオセグメントをオーディオ出力手段を介して出力するように構成され、第２入力は、ユーザによって入力される文字列の一部として文字を追加する機能に関連付けられる。文字の選択は、入力された文字列の一部として文字を追加する第１段階を含むように理解すべきである。例えば、ディスプレイが適用される場合、文字の選択により、ディスプレイ上でロケータがこの文字に焦点を当てるようにすることができる。
【０００８】
本発明の実施形態によれば、制御ユニットは、入力デバイスに検出される入力に基づいて、横又は縦方向にナビゲートすることのできる利用可能な文字のリストを電子デバイスのディスプレイ上に表示するように構成される。別の実施形態では、第１入力オプションによって表される文字は、入力デバイスへの第１入力の検出に基づいて強調表示することができる。
【０００９】
本発明の別の実施形態によれば、オーディオセグメントは、音声合成により生成することができ、或いは、選択された文字に対して、予め格納された適切なオーディオセグメントを選択することができる。
【００１０】
本発明の実施形態によれば、電子デバイスは、入力デバイスへの第３入力の検出に対する応答として文字列に関連する動作に関連付けられた第２入力オプションを選択するように構成される。電子デバイスは、動作に固有のオーディオセグメントの出力を発生させるように構成され、電子デバイスは、入力デバイスへの第３入力の後の第４入力の検出に対する応答として、入力された文字列に関連付けられた動作を開始するように構成される。
【００１１】
本発明の実施形態は、幾つかの利点をもたらす。オーディオフィードバックは、主要視覚的注意を必要とする他の事柄を同時に行いながら、電子デバイスへの文字の入力、例えば数字の入力及び通話発信を支援する。視覚がふさがった状況の人に加え、本発明はまた、視力障害のユーザが、付加的な付属品なしにあらゆる移動端末を使用するのを支援する。
【発明を実施するための最良の形態】
【００１２】
以下において、例示的な実施形態及び添付図面を参照しながら本発明をより詳細に説明する。
【００１３】
本発明の実施形態は、例えば、１つ又はそれ以上の基地局及び基地局と通信を行う端末を含む電気通信システムにおいて端末として使用される移動局などの電子デバイスに適用可能である。デバイスは、例えば、ブルートゥースチップ、赤外線又はＷＬＡＮ接続で実装される短距離通信に使用することができる。電子デバイスは、例えば、携帯電話、或いは携帯用コンピュータ、パーソナルコンピュータ、ハンドヘルドコンピュータ、又はスマート電話などの電気通信手段を含む他のデバイスである。携帯用電子デバイスは、ネットワーク接続の確立に必要な電気通信手段を含むＰＤＡ（携帯情報端末）デバイス、或いは例えばネットワーク接続のために携帯電話に結合可能なＰＤＡデバイスとすることができる。携帯用電子デバイスはまた、電気通信手段を含まないコンピュータ、付属デバイス、又はＰＤＡデバイスとすることもできる。
【００１４】
図１に、電子デバイスの構造のブロック図を示す。制御ユニット１００は、通常はマイクロプロセッサ及びソフトウェア又は個別の構成要素を用いて実装され、デバイスの基本機能を制御する。デバイスのユーザインタフェースは、入力デバイス１０４、ラウドスピーカー１１０を含むオーディオ出力手段、及びディスプレイ１０２を含む。更に、デバイスのユーザインタフェースは、マイクロフォン、音声認識装置、音声合成装置、及び／又はキーパッド部などの他の部分を含むことができる。デバイスの種類によっては、異なる数の種々のユーザインタフェース部が存在することがある。移動局などの図１のデバイスはまた、移動局の機能を実装し、音声及びチャンネルコーダ、変調器、ＲＦ部を有する通信手段１０８を含む。デバイスはまた、アンテナ及びメモリ１０６を備えることができる。
【００１５】
制御ユニット１００は、電子デバイスの機能を制御する。電子デバイスの処理ユニットにおいて実行されるコンピュータプログラムコードは、制御ユニット１００、及び一般には可聴ユーザフィードバックの供与に関する本発明の機能を提供する手段を電子デバイスに実装させるのに使用することができ、本発明の機能の一部の実施形態については、図２、３、及び４と関連付けながら以下で説明する。一実施形態では、電子デバイス制御用のチップユニット又は他の何らかの種類のハードウェアモジュールにより、デバイスに本発明の機能を実行させる。ハードウェアモジュールは、電子デバイスを機械的及び／又は機能的に接続するための接続手段を備える。従って、ハードウェアモジュールは、デバイスの一部をなすことができ、取り外し可能とすることもできる。このようなハードウェアモジュールの幾つかの実施例は、サブアセンブリ、携帯用データ記憶媒体、ＩＣカード、又は付属デバイスである。コンピュータプログラムコードは、ネットワークを介して受け取ることができ、及び／又はメモリ手段、例えばディスク、ＣＤ−ＲＯＭディスク、又は他の外部メモリ手段内に格納することができ、これから電子デバイスのメモリにコードをロードすることができる。コンピュータプログラムはまた、例えばＴＣＰ／ＩＰプロトコルスタックを用いることで、ネットワークを介してロードすることもできる。ハードウェアソリューション又はハードウェアとソフトウェアソリューションの組み合わせを用いて本発明の機能を実装することもできる。
【００１６】
電子デバイスのユーザからの入力は、入力デバイス１０４によって受け取られる。制御ユニット１００は、ディスプレイ１０２に接続されて、ディスプレイ１０２上の種々のアプリケーションビューを制御するように構成される。制御ユニット１００は、入力デバイス１０４からユーザ入力コマンドを受け取る。入力デバイス１０４は、メニュー構造内、アプリケーションビュー内、或いは、本実施形態にあるようなディスプレイ１０２上に表示される選択可能な入力オプション間をナビゲートするなど、電子デバイスの様々な動作モードでナビゲートするためのユーザ入力を受け取る。入力デバイス１０４及び制御ユニット１００は、利用可能な複数のユーザインタフェース入力オプションをナビゲートするためのナビゲーション手段、及び選択された入力オプションを確認するための確認手段を提供するように構成される。制御ユニット１００は、ユーザ入力デバイス１０４に対して検出された選択を解釈し、これに基づいて所与のソフトウェア機能を実行し、実行されたソフトウェア機能の結果、この選択に固有の適切なオーディオセグメントを定義して出力し、ディスプレイ１０４上に更新後のビューを表示する。実際には、電子デバイスの特定の動作モードにおいて、利用可能な情報候補とも呼ぶことのできる入力オプションの複数の特定のセットがある。これらの入力オプションは、入力デバイス１０４によってナビゲートすることができ、すなわち、現在選択中又はアクティブな入力オプションは、例えば、入力デバイス１０４の上／下セレクタを押下することで変更することができる。
【００１７】
本実施形態では、文字を選択し、選択された文字の追加を確認して文字列を形成するように入力デバイス１０４を動作させることが可能な、特定のユーザ入力モードに入ることができる。文字に固有のオーディオセグメントは、文字選択の検出に対する応答としてオーディオ出力手段１１０を介してユーザに返される。別の実施形態では、このような文字列が入力されて電話番号を形成し、これにより電子デバイスからの通話を確立することができる。入力デバイス１０４は、いずれの特定の入力方法にも限定されないが、例えば、タッチスクリーンディスプレイ上の仮想ボタン、又は電子デバイスのカバー上の物理的ボタンによって構成することができる。
【００１８】
図２は、電子デバイスが、利用可能な入力オプションのリスト２００を提供するように構成され、リスト２００が上下方向にナビゲートすることができる実施形態を示している。ディスプレイ１０２内のビューは、リスト２００内で選択され確認された数字を追加してブロック２３０内に文字列２４０を形成するユーザ入力モードを表している。また、入力された文字列２４０に関する１つ又はそれ以上の動作を選択し、該動作の確認に基づいて実行することができる。図２は、選択可能な動作入力オプション「通話」を示している。電子デバイスは、この動作入力オプションの選択及び確認に対する応答として、ブロック２３０の番号への通話を確立するように構成される。本実施形態の５方向ナビゲーションキーでは、この操作を完了するのにユーザ入力デバイス１０４以外の他のキーは必要とされない。
【００１９】
電子デバイスの入力デバイス１０４は、所与のソフトウェア機能を制御するための５つの選択可能な領域又はボタン２１１、２１２、２１３、及び２１４を有するナビゲーションキーである。電子デバイスのユーザインタフェースの現在の動作モード又は状態に応じて、最大５つの操作を入力デバイス１０４に関連付けることができる。
【００２０】
ナビゲート手段は、領域２１０、２１１、及び／又は２１３、２１４によって構成することができる。本実施形態では、領域２１０及び２１１は、上下方向にリスト２００をナビゲートするための機能に関連付けられる。制御ユニット１００は、入力デバイス１０４によって示される制御コマンドを検出し、及び所与のナビゲーションブロック２１０から２１３までへのユーザ入力を検出するように構成される。ナビゲーション機能に現在関連付けられているナビゲーションブロックへのこれらのユーザ入力に基づいて、破線２２０で示される現在選択中の文字又は動作を変更することができ、同時に、リストビュー２００をスクロールすることができる。
【００２１】
一実施形態では、入力デバイス１０４は、特定の確認又は選択ボタン、或いは確認又は選択のための選択可能領域を含む。図２では、確認領域２１４は入力デバイス１０４の中央にある。確認領域２１４は、ユーザ入力モードにおいて選択された入力オプションを確認するのに使用される。例えば、図２の実施例のビューでは、ユーザが領域２１４を押下すると、数字「１」が確認されて、入力文字列２４０に追加されることになる。
【００２２】
ディスプレイの外観及び入力デバイス１０４の形式は、要望に応じて設定することができる。ナビゲーション領域２１０及び２１１には上下の矢印、横方向のナビゲーションブロック２１２及び２１３には左右の矢印、制御ブロック２１４には交差矢印など、様々な方向を個々のアイコンでマークすることもできる。一実施形態では、ユーザ入力デバイスの現在利用可能な機能が表示される。適切な色、テキスト、描画、塗りつぶし効果もまた、ナビゲーション及び確認を容易にするために利用することができる。
【００２３】
図２は、例示的なものにすぎず、ユーザインタフェースは他の多くの方法で構成することができる点に留意されたい。例えば、リスト２００は、横方向、又は横及び縦方向にナビゲートされるように構成することができる。一実施形態では、図４に示されるように、キーパッドの少なくとも一部が表示される。これらの文字（数字）及び動作（「通話」、「チェック」、及び「消去」）は、入力デバイス１０４を用いて選択及び確認され、図２の５つの機能を有するボタンは、図４の実施形態に特に適している。本発明を実施する電子デバイスでは、グラフィックによる視覚フィードバックを使用する必要はない点に留意されたい。ユーザには入力デバイス１０４への操作に関して可聴フィードバックが与えられるので、本発明は、ディスプレイがないデバイスにおいても実施することができる。
【００２４】
入力デバイス１０４に関して多くの実施の代替形態がある。入力デバイス１０４はまた、例えば円形などの四角形以外のあらゆる他の形状とすることができる。例えば、３方向ナビゲーション（上、下、選択）キー、又は２方向ナビゲーション（上、下）キーと別個の選択キーを適用することが可能である。別の実施例は、８方向ナビゲーションの入力デバイスである。更に別の実施形態では、入力デバイス１０４は、ナビゲート機能を実装するために縦方向及び／又は横方向にロールすることができるローラー（ナビゲーションキー）とすることができる。このようなロールにはまた、例えば電子デバイスの本体に向かって下向きにロールを押すことにより、確認機能を提供することができる。
【００２５】
制御ユニット１００は、文字の選択又は文字列への動作を引き起こす第１ナビゲート入力の検出に基づいた文字選択の検出に対する応答として、文字又は動作に固有のオーディオセグメントを定義するように構成される。制御ユニット１００は、オーディオ出力手段１１０により定義されたオーディオセグメントを返すように構成される。図２を参照すると、ユーザがボタン２１１を押下した場合、ロケータ２２０において数字「２」が指示されるようにリスト２００がロールされ、この数字の可聴表現がユーザに対して音声で発せられる。
【００２６】
一実施形態では、可聴フィードバックはまた、文字又は動作の選択の確認を検出するのに応答して生成される。
【００２７】
オーディオセグメントは、音声及び／又は非音声のオーディオとすることができる。一実施形態では、文字及び動作の選択が音声出力により表され、これにより選択された文字を音声で発することができ、一方、選択の確認時には非音声のオーディオフィードバックが適用される。また、文字に対するフィードバックを非音声オーディオ、例えば文字に固有のトーンで提供することもできる。非音声オーディオは、ユーザを妨げないようにするために確認後に生成することができるが、それでも選択の確認を与えることになる。しかしながら、「通話」コマンドの場合、通話が確立されることを明確に示すために、この動作の確認時にも音声プロンプトを再生することができる。
【００２８】
一実施形態では、文字又は動作に関連付けられたオーディオセグメントは、メモリ１０６内に格納される。制御ユニット１００は、関連付けられたオーディオセグメントをメモリ１０６から取り出して、文字又は動作を選択するナビゲート入力の検出に応答して、オーディオセグメントを再生するように構成される。図２の実施形態では、少なくとも数字及び動作「通話」のオーディオセグメントは、メモリ１０６内に格納されることになる。例えば、メモリ１０６内のオーディオセグメントにはインデックスを付けることができる。
【００２９】
別の実施形態では、電子デバイスは、音声合成によりオーディオセグメントを生成するように構成される。本実施形態では、電子デバイスは、図１には示されていない音声合成装置を備えることができる。音声合成は、選択された文字に関して構成されたテキスト−音声合成とすることができる。制御ユニット１００は、テキスト音声変換を実行するテキスト−音声合成装置に現在選択中の文字（又は動作）を提供するように構成することができる。次に、生成されたオーディオセグメントは、オーディオ出力手段１１０に送られる。これ自体が公知のテキスト音声合成システムを適用することができる。
【００３０】
図３は、実施形態に従う方法を示している。ステップ３００で、入力デバイス１０４によるユーザ入力を許可する特定の入力モードに入る。選択可能な文字及び１つ又はそれ以上の追加動作のリスト（２００）がステップ３０２で表示される。ステップ３０４では、リスト内の文字の選択が検出されるか否かをチェックする。このステップは、定期的に、又は入力デバイス１０４への入力を検出した後に実行することができる。文字の選択が検出されると、ステップ３０６で、この文字に固有のオーディオセグメントが定義される。ステップ３０８では、ラウドスピーカー１１０を含むオーディオ手段を介してオーディオセグメントが返される。制御ユニット１００は、電子デバイス１０４への追加動作を検出するように構成され、ステップ３１０では、選択された文字の確認が検出されるか否かをチェックする。検出されない場合、ステップ３０２に戻ることができる。文字の確認がステップ３１０で検出された場合、ステップ３１２で、この文字が入力文字列（２４０）に追加され、ユーザに対して可聴通知が生成される。
【００３１】
再びステップ３０４を参照すると、入力デバイスへの１つ又はそれ以上のユーザ入力に基づいて文字の選択が検出されなかった場合、ステップ３１４で、動作の選択が検出されるか否かをチェックする。検出されない場合、ステップ３０２（又はステップ３０４）に戻り、入力デバイス１０４へのユーザ入力を検出することができる。ステップ３１４で動作の選択が検出された場合、本方法はステップ３１６に進み、検出された動作に固有のオーディオセグメントを定義する。次いで、ステップ３１８で、定義されたオーディオセグメントが返される。ステップ３２０で、動作の確認が検出されるか否かをチェックする。検出されない場合、ステップ３０２に戻ることができる。確認が検出される場合、この動作に固有とすることができる可聴通知が返され、ステップ３２４で動作が実行される。ステップ３１２又は３２４の後、３２６で、本方法は終了コマンドが検出されるか否かをチェックすることができる。終了コマンドが検出される場合、ステップ３０８で入力モードを終了することができ、検出されない場合、本方法はステップ３０２に戻ることができる。
【００３２】
従って、上述の機能を適用することにより、ユーザが（ロールとして提供される）リスト２２０内の文字を閲覧するときに、現在選択中の各項目を音声で発することができる。別の実施形態では、ユーザがリストを迅速に閲覧する状況では、ユーザが閲覧を終えるときにだけ可聴出力を構成する。本実施形態では、例えば、入力の検出後に遅延期間を適用するよう制御ユニットを構成することにより実施することができる。遅延期間後、これ以上のナビゲート入力がなかった場合、制御ユニットは、選択された文字に固有の適切なオーディオセグメントを定義することにより継続することができる。この場合、対象である現在の項目だけが音声で発せられる。
【００３３】
検出された入力に基づいてディスプレイ１０２を更新することができ、これは図３のステップ３０２への復帰により示される。一実施形態では、電子デバイスのディスプレイ１０２上のセレクタの現在位置が更新されて現在選択中の文字又は動作を表示する。この更新は、例えば、ステップ３０４又は３１４のポジティブチェック後に行うことができる。例えば、現在選択中の文字又は動作を強調表示することができる。文字又は動作の確認もまた、ステップ３１０又は３２０の後にディスプレイ１０２内に表示することができる。
【００３４】
ユーザによって選択され確認された文字列２４０に関して、又はこれに基づいて実行することができる多くの動作（図３の実施形態のステップ３２４）がある。例えば、以下の動作、すなわち、文字列によって表される相手への通話を確立すること、文字列から少なくとも１つの文字を消去すること、文字列に現在含まれる文字のオーディオフィードバックを提供すること、文字列を送信すること、文字列をコピーすること、文字列を格納すること、入力デバイスが現在利用可能な入力オプションでは利用できない特殊文字を追加すること、現在の入力モードを終了することといった動作の少なくとも一部を適用することができる。
【００３５】
一実施形態では、数字を削除する動作を入力デバイス１０４が選択及び起動することができる。この利用可能なユーザ入力オプションもまた図４に示されている。入力済みの数字又は文字をユーザが削除する場合、電子デバイスは、非音声の音を生成することができる。これはまた、音声プロンプトであってもよいが、情報の明確さにおいて非音声の音で十分である。しかしながら、ユーザが全ての文字を削除した場合には、通話などのそれ以上の動作をもはや行うことができないので、音声プロンプトを与えることができる。
【００３６】
図２の実施例によれば、入力済みの電話番号から最後に入力した文字を削除することは、入力デバイス１０４のナビゲーション制御部の左方向、すなわちセグメント２１２に関連付けることができる。しかしながら、他の構成も使用することができ、他の機能を領域２１２及び２１３に関連付けることができる。入力済みの電話番号はスタックに似ており、新しい要素の入力又はこれらの削除は、ＬＩＦＯ（Ｌａｓｔ−ｉｎ／Ｆｉｒｓｔ−ｏｕｔ（後入れ先出し））順序で構成される。
【００３７】
一実施形態では、入力済みの文字列２４０のチェック動作は、入力デバイス１０４によって選択及び起動することのできる１つの利用可能なユーザ入力オプションである。この入力オプションはまた、図４に「チェック」で示されている。このチェック入力オプションの確認に対する応答として、電子デバイスは、文字列２４０内に現在含まれている全ての文字のオーディオ出力を生成するように構成される。例えば、ユーザが入力済みの電話番号列をチェックしたい場合、番号が１つずつ又は場合によってはグループ単位で音声で発せられる。制御ユニット１００は、この目的のためにもメモリ１０６内に予め格納されたオーディオセグメントを適用することができる。本実施形態により、ユーザは電話番号などの入力済みの文字列を目視することなく容易にチェックすることができる。
【００３８】
別の実施形態では、熟練したユーザは、番号をチェックした後に続いて別の数字の入力又は入力した数字の削除を行うよりも電話をかける可能性が高いので、制御ユニット１００は、番号のチェック後にために自動的にロール２００を回転させて「通話」コマンドに焦点を合わせるように構成される。
【００３９】
一実施形態では、入力された文字列２４０に関連付けられた更なる文字列の可聴表現をユーザに提供することができる。例えば、文字列２４０内の番号に連絡先リストで関連付けられている名前をユーザに対して音声で発することができる。更に別の実施形態では、この機能は、通話確立動作、又は文字列のチェック動作が確認されたときに適用される。
【００４０】
図２の実施例によれば、チェック動作は、ナビゲーション制御部の右方向、すなわちセグメント２１３に関連付けることができ、別の実施形態では、削除及びチェック動作をロールに追加することができる。しかしながら、３方向のナビゲーション（上下及び選択）、又は２方向のナビゲーションと別個の選択キーのみでは、これらの２つのコマンドはロールで使用することができる。また、ナビゲーションの方向も異なることができる。
【００４１】
一実施形態では、付加的な指示がユーザに対して音声で発せられる。例えば、ユーザが電話番号を入力し、これが何らかの形で誤っている場合（不正なフォーマット）、警告メッセージを音声で発することができる。
【００４２】
既に説明したように、入力デバイス１０４を操作することにより入力される文字は、数字及び電話番号の「＋」などの他の関連文字を含むことができる。しかしながら、本発明は、他の文字及び目的にも適用することができる。例えば、入力デバイスによって行われる操作への可聴フィードバックの供与に関連する上述の機能の少なくとも一部は、ユーザが文字及び数字を選択及び確認して単語を形成するテキスト入力モードに提供することができる。例えば、入力モードはメッセージ編集モードとすることができる。
【００４３】
添付の図面による実施例を参照しながら本発明を説明してきたが、本発明はこれに限定されることなく、添付の請求項の範囲内で幾つかの方法で修正することができることは明らかである。
【図面の簡単な説明】
【００４４】
【図１】電子デバイスの実施例を示す図である。
【図２】電子デバイスの例示的なユーザインタフェースを示す図である。
【図３】本発明の実施形態に従う方法の実施例である。
【図４】本発明の実施形態に従うディスプレイビューである。
【符号の説明】
【００４５】
３００  入力モードに入る
３０２  選択可能な文字及び１つ又はそれ以上の追加動作のリストを表示する
３０４  文字の選択を検出したか？
３０６  文字に固有のオーディオセグメントを定義する
３０８  オーディオセグメントを出力する
３１０  文字の確認を検出したか？
３１２  文字列に文字を追加し、可聴の通知を出力する
３１４  動作の選択を検出したか？
３１６  動作に固有のオーディオセグメントを定義する
３１８  オーディオセグメントを出力する
３２０  動作の確認を検出したか？
３２２  可聴の通知を出力する
３２４  動作を実行する
３２６  終了コマンド？
３２８  入力モードを終了する
【図１】
2008541256.tif 000003
【図２】
2008541256.tif 000004
【図３】
2008541256.tif 000005
【図４】
2008541256.tif 000006
【手続補正書】
【提出日】平成19年11月9日(2007.11.9)
【手続補正１】
【補正対象書類名】特許請求の範囲
【補正対象項目名】全文
【補正方法】変更
【補正の内容】
【特許請求の範囲】
【請求項１】
電子デバイスであって、該電子デバイスの機能を制御するための制御ユニットと、オーディオ出力手段と、複数の利用可能なユーザインタフェース入力オプション通じてナビゲートするため及び選択された入力オプションを確認するためのユーザ入力デバイスと、
を備え、
前記入力デバイスへの第１入力に基づいて第１入力オプションの選択を検出して、前記入力デバイスへの第２入力の検出に対する応答として前記第１入力オプションを確認するように構成され、且つオーディオフィードバックをユーザに提供するように構成された電子デバイスにおいて、
前記第１入力オプションが文字を表し、前記第２入力が、前記ユーザによって入力される文字列の一部として前記文字を追加する機能に関連付けられており、
前記制御ユニットは、前記入力デバイスへの前記第１入力の検出に基づいた前記文字の選択の検出に対する応答として、前記文字に固有のオーディオセグメントを定義するように構成されており、
前記制御ユニットが、前記確認の前に、前記定義されたオーディオセグメントの出力を前記オーディオ出力手段を介して発生させるように構成されている、
ことを特徴とする電子デバイス。
【請求項２】
前記制御ユニットは、前記入力デバイスに検出される入力に基づいて、横及び／又は縦方向にナビゲートすることのできる利用可能な文字のリストを前記電子デバイスのディスプレイ上に表示するように構成され、前記第１入力オプションによって表される前記文字は、前記入力デバイスへの前記第１入力の検出に基づいて強調表示される、
ことを特徴とする請求項１に記載の電子デバイス。
【請求項３】
前記入力デバイスは、複数操作のナビゲーションキーであって、
前記制御ユニットは、上、下、左、右の少なくとも２つがナビゲート用のボタンで利用可能なナビゲート領域の１つへの前記ナビゲーションキーによる前記第１入力を検出するように構成され、
前記制御ユニットは、特定の確認ボタンに対する、又は現在選択中の前記第１入力オプションの確認に関連付けられた前記ナビゲーションキーの一部に対する前記第２入力を検出するように構成される、
ことを特徴とする請求項１又は２に記載の電子デバイス。
【請求項４】
前記オーディオセグメントは、前記メモリ内に格納されて且つ前記文字に関連付けられており、前記制御ユニットは、前記メモリから前記オーディオセグメントを取り出して、前記第１入力の検出に応答して前記オーディオセグメントを再生するように構成される、
ことを特徴とする請求項１〜３のいずれか１項に記載の電子デバイス。
【請求項５】
前記電子デバイスは、音声合成によって前記オーディオセグメントを生成するように構成される、
ことを特徴とする請求項１〜３のいずれか１項に記載の電子デバイス。
【請求項６】
前記制御ユニットは、前記入力デバイスへの第３入力の検出に対する応答として前記文字列に関連する動作に関連付けられた第２入力オプションを選択するように構成されており、
前記制御ユニットは、前記動作に固有のオーディオセグメントの出力を発生させるように構成されており、
前記制御ユニットは、前記入力デバイスへの前記第３入力の後の第４入力の検出に対する応答として、入力された文字列に関連付けられた動作を開始するように構成されている、
ことを特徴とする請求項１〜５のいずれか１項に記載の電子デバイス。
【請求項７】
前記動作は、前記文字列によって表される相手への通話を確立すること、前記文字列から少なくとも１つの文字を消去すること、前記文字列に現在含まれる文字のオーディオフィードバックを提供すること、前記文字列を送信すること、前記文字列をコピーすること、前記文字列を格納すること、前記入力デバイスにより現在利用可能な前記入力オプションでは利用できない特殊文字を追加すること、現在の入力モードを終了することのうちの１つである、
ことを特徴とする請求項６に記載の電子デバイス。
【請求項８】
前記電子デバイスは移動通信デバイスであり、前記文字列に対して選択可能な前記文字は数字を含み、
前記電子デバイスは、前記文字列によって表される相手への通話を確立するように構成される、
ことを特徴とする請求項１〜７のいずれか１項に記載の電子デバイス。
【請求項９】
複数の利用可能なユーザインタフェース入力オプションを通じてナビゲートするため及び選択された入力オプションを確認するためのユーザ入力デバイスを備え且つ前記ユーザにオーディオフィードバックを提供するように構成された電子デバイスにおける文字入力方法であって、
前記入力デバイスへの第１入力に基づいて第１入力オプションの選択を検出する段階と、
前記入力デバイスへの第２入力の検出に対する応答として前記第１入力オプションを確認する段階と、
を含み、
前記電子デバイスが前記ユーザにオーディオフィードバックを提供するように構成されている前記方法において、
前記第１入力オプションは文字を表し、前記第２入力が前記ユーザによって入力される文字列の一部として前記文字を追加する機能に関連付けられていることを特徴とし、
前記方法が更に、
前記入力デバイスへの前記第１入力の検出に基づいた前記文字の選択の検出に対する応答として、前記文字に固有のオーディオセグメントを定義する段階と、
前記確認の前に、前記定義されたオーディオセグメントを前記オーディオ出力手段を介して返す段階と、
を含む方法。
【請求項１０】
前記方法が、
前記入力デバイスへの第３入力の検出に対する応答として前記文字列に関連する動作に関連付けられた第２入力オプションを選択する段階と、
前記動作に固有のオーディオセグメントを返す段階と、
前記入力デバイスへの前記第３入力の後の第４入力の検出に対する応答として、入力された文字列に関連付けられた動作を開始する段階と、
を含む
ことを特徴とする請求項９に記載の方法。
【請求項１１】
前記動作は、前記文字列によって表される相手への通話を確立すること、前記文字列から少なくとも１つの文字を消去すること、前記文字列に現在含まれる文字のオーディオフィードバックを提供すること、前記文字列を送信すること、前記文字列をコピーすること、前記文字列を格納すること、前記入力デバイスにより現在利用可能な前記入力オプションでは利用できない特殊文字を追加すること、現在の入力モードを終了することのうちの１つである、
ことを特徴とする請求項１０に記載の方法。
【請求項１２】
前記入力デバイスに検出される入力に基づいて、横及び／又は縦方向にナビゲートすることができる利用可能な文字のリストを前記電子デバイスのディスプレイ上に表示する段階と、
前記第１入力オプションによって表される文字を前記入力デバイスへの前記第１入力の検出に基づいて強調表示する段階と、を含む、
ことを特徴とする請求項９に記載の方法。
【請求項１３】
前記入力デバイスは、複数操作のナビゲーションキーであって、
上、下、左、右の少なくとも２つがナビゲート用のボタンで利用可能なナビゲート領域の１つへの前記ナビゲーションキーによる前記第１入力が検出され、
前記第２入力は、特定の確認ボタンに対して、又は現在選択中の前記第１入力オプションの確認に関連付けられた前記ナビゲーションキーの一部に対して検出される、
ことを特徴とする請求項９に記載の方法。
【請求項１４】
前記オーディオセグメントは、メモリ内に格納されて且つ前記文字に関連付けられており、前記オーディオセグメントは前記メモリから取り出されて、前記第１入力の検出に応答して再生される、
ことを特徴とする請求項９に記載の方法。
【請求項１５】
前記オーディオセグメントは、音声合成によって生成される、
ことを特徴とする請求項９に記載の方法。
【請求項１６】
前記電子デバイスは移動通信デバイスであり、前記文字列に対して選択可能な前記文字は数字を含み、
前記文字列によって表される相手に対して通話を確立する、
ことを特徴とする請求項９に記載の方法。
【請求項１７】
複数の利用可能なユーザインタフェース入力オプションをナビゲートするため及び選択された入力オプションを確認するためのユーザ入力デバイスを備えた電子デバイスのプロセッサ上で動作可能なコンピュータプログラム製品であって、
前記電子デバイスは、前記入力デバイスへの第１入力に基づいて第１入力オプションの選択を検出し、前記入力デバイスへの第２入力の検出に対する応答として前記第１入力オプションを確認するように構成され、且つ前記ユーザにオーディオフィードバックを提供するように構成されたコンピュータプログラム製品において、
前記第１入力オプションが文字を表し、前記第２入力が、前記ユーザによって入力される文字列の一部として前記文字を追加する機能に関連付けられており、
前記コンピュータプログラム製品が、
前記入力デバイスへの前記第１入力の検出に基づいた前記文字の選択の検出に対する応答として、前記文字に固有のオーディオセグメントを定義し、
前記確認の前に、前記定義されたオーディオセグメントの出力を前記オーディオ出力手段を介して発生させる、
ようにプロセッサを構成するコンピュータプログラムコードを含む、
ことを特徴とするコンピュータプログラム製品。
【請求項１８】
前記コンピュータプログラム製品が、
前記入力デバイスへの第３入力の検出に対する応答として前記文字列に関連する動作に関連付けられた第２入力オプションを選択し、
前記動作に固有のオーディオセグメントの出力を発生させ、
前記入力デバイスへの前記第３入力の後の第４入力の検出に対する応答として入力された文字列に関連付けられた動作を開始する、
ようにプロセッサを構成するコンピュータプログラムコードを含む、
ことを特徴とする請求項１７に記載のコンピュータプログラム製品。
【請求項１９】
前記動作は、前記文字列によって表される相手への通話を確立すること、前記文字列から少なくとも１つの文字を消去すること、前記文字列に現在含まれる文字のオーディオフィードバックを提供すること、前記文字列を送信すること、前記文字列をコピーすること、前記文字列を格納すること、前記入力デバイスにより現在利用可能な前記入力オプションでは利用できない特殊文字を追加すること、現在の入力モードを終了することのうちの１つである、
ことを特徴とする請求項１８に記載のコンピュータプログラム製品。
【請求項２０】
前記入力デバイスに検出される入力に基づいて、横及び／又は縦方向にナビゲートすることのできる利用可能な文字のリストを前記電子デバイスのディスプレイ上に表示し、
前記第１入力オプションによって表される文字を前記入力デバイスへの前記第１入力の検出に基づいて強調表示する、
ためのコンピュータプログラムコードを含む、
ことを特徴とする請求項１７に記載のコンピュータプログラム製品。
【請求項２１】
前記入力デバイスは、複数操作のナビゲーションキーであって、
上、下、左、右の少なくとも２つがナビゲート用のボタンで利用可能なナビゲート領域の１つへの前記ナビゲーションキーによる前記第１入力を検出し、
特定の確認ボタンに対して、又は現在選択中の前記第１入力オプションの確認に関連付けられた前記ナビゲーションキーの一部に対して前記第２入力を検出する、
ように前記プロセッサを構成するコンピュータプログラムコードを含む、
ことを特徴とする請求項１７に記載のコンピュータプログラム製品。
【請求項２２】
前記オーディオセグメントは、メモリ内に格納されて且つ前記文字に関連付けられており、
前記メモリから前記オーディオセグメントを取り出して、前記第１入力の検出に応答して前記オーディオセグメントを再生する、
ように前記プロセッサを構成するコンピュータプログラムコードを含む、
ことを特徴とする請求項１７に記載のコンピュータプログラム製品。
【請求項２３】
前記オーディオセグメントは、音声合成によって生成される、
ことを特徴とする請求項１７に記載のコンピュータプログラム製品。
【請求項２４】
前記電子デバイスは移動通信デバイスであり、前記文字列に対して選択可能な前記文字は数字を含み、
前記コンピュータプログラム製品が前記文字列によって表される相手に対して通話を確立するように前記プロセッサを構成するコンピュータプログラムコードを含む、
ことを特徴とする請求項１７に記載のコンピュータプログラム製品。
【国際調査報告】
2008541256.tif 000007
2008541256.tif 000008
2008541256.tif 000009
2008541256.tif 000010
2008541256.tif 000011